(57)【特許請求の範囲】
【請求項１】
リテーナ支持軸を一端部に有し、他端部にピボットシャフトに結合されるピボットシャフト結合部が形成されたアームヘッドと、上記リテーナ支持軸に回動可能に嵌合係止自在な切欠係止部が形成され、一端部にワイパブレードが装着されるリテーナと、一端部が上記アームヘッドに支持されたアームスプリング係止ピンに係止され、他端部が上記リテーナに係止されてリテーナおよびアームヘッドの間で張力を付与するアームスプリングを備え、上記リテーナの切欠係止部が嵌合係止されるリテーナ支持軸は、外周面に傾斜面部が形成されると共に、上記リテーナの切欠係止部は、横倒略ハ字状に開口するガイド部と、該ガイド部に連設され上記リテーナ支持軸の直径寸法と略同一の直径寸法を有する略Ｃ字状の係合部とで構成され、該ガイド部と係合部の境界部の幅寸法は、上記リテーナ支持軸の傾斜面部から該リテーナ支持軸の軸芯を通る垂線寸法と略同一に形成されているワイパアームにおいて、上記アームスプリング係止ピンが横架されるアームスプリング係止ピン収納部を形成するアームヘッド天板部は、そのリテーナ支持軸側の側面部が、ストッパ傾斜面部と該ストッパ傾斜面部の下端部からリテーナ支持軸側に突設する棚部とで略Ｌ字状に形成され、上記ストッパ傾斜面部は、リテーナがリテーナ支持軸に回動自在に嵌合係止されている状態において、上記リテーナが上方向へ回動すると、上記切欠係止部を構成するガイド部の上片部の先端部と摺接して上記リテーナの上方向への回動を規制すると共に、上記リテーナが下方向へ回動すると、上記ガイド部の下片部の先端部が上記棚部の底辺部と衝合してリテーナの下方向への回動を規制するように構成されていることを特徴とするワイパアーム。
【請求項２】
上記リテーナのガイド部を構成する下片部の顎部は、該ガイド部の下片部をリテーナ支持軸の傾斜面部に沿って挿入するときに、上記アームヘッドのアームスプリング係止ピン収納部を形成する側壁の前辺部に突き当て可能な形状に形成したことを特徴とする請求項１に記載のワイパアーム。
【請求項３】
上記リテーナ支持軸の傾斜面部には、上記リテーナの切欠係止部をリテーナ支持軸へと挿入するときに、上記切欠係止部の係合部とガイド部と係合部の境界部および下片部とで形成される山形辺部と係合して上記リテーナの回転位置を位置決める略く字状の係合辺部が形成されていることを特徴とする請求項１または請求項２に記載のワイパアーム。
【請求項４】
リテーナ支持軸を一端部に有し、他端部にピボットシャフトに結合されるピボットシャフト結合部が形成されたアームヘッドと、上記リテーナ支持軸に回動可能に嵌合係止自在な切欠係止部が形成され、一端部にワイパブレードが装着されるリテーナと、一端部が上記アームヘッドに支持されたアームスプリング係止ピンに係止され、他端部が上記リテーナに係止されてリテーナおよびアームヘッドの間で張力を付与するアームスプリングを備え、上記リテーナの切欠係止部が嵌合係止されるリテーナ支持軸は、外周面に傾斜面部が形成されると共に、上記リテーナの切欠係止部は、横倒略ハ字状に開口するガイド部と、該ガイド部に連設され上記リテーナ支持軸の直径寸法と略同一の直径寸法を有する略Ｃ字状の係合部とで構成され、該ガイド部と係合部の境界部の幅寸法は、上記リテーナ支持軸の傾斜面部から該リテーナ支持軸の軸芯を通る垂線寸法と略同一に形成されているワイパアームにおいて、上記リテーナ支持軸の傾斜面部には、上記リテーナの切欠係止部をリテーナ支持軸へと挿入するときに、上記切欠係止部の係合部とガイド部と係合部の境界部および下片部とで形成される山形辺部と係合して上記リテーナの回転位置を位置決める略く字状の係合辺部が形成されていることを特徴とするワイパアーム。
【発明の詳細な説明】
【０００１】
【発明の属する技術分野】
この発明は、自動車のウインドシールドガラス等の被払拭面を拭うワイパブレードを揺動させるのに利用されるワイパアームに係り、特に、所謂ロックバックレスタイプの合成樹脂製ワイパーアームに関する。
【０００２】
【従来の技術】
従来、自動車のウインドシールドガラス等の被払拭面を拭うワイパブレードを揺動させるワイパアームとしては、アームヘッドと、このアームヘッドに結合されたリテーナとを備えたものが知られている。
【０００３】
【発明が解決しようとする課題】
ところで、このような構成からなるワイパーアームの中で、リテーナをバックしようとする回転運動に対して規定の角度で回転を規制することができ、かつ、外力に対して耐え得る強固な構成からなる所謂ロックバックレスタイプの合成樹脂製ワイパーアームが従来から知られているが、この種の従来のロックバックレスタイプのワイパーアームにあっては、リテーナのアームヘッド側に形成された係止部が略Ｕ字状に形成されているだけの構成であり、略Ｕ字状の切欠係止部をアームスプリングの引張力を利用してアームヘッドに架設されたリテーナ支持軸に嵌合係止しているだけの構成であるため、リテーナの上下方向の回転運動に対して非常に抜け易い、という問題を有していた。
【０００４】
この発明は、かかる現状に鑑み創案されたものであって、その目的とするところは、専用の組立設備を必要とせずにリテーナをアームヘッドにがたつきなく短時間で簡単に手組みすることができると共に、部品点数を増加させることなく簡易な構成でリテーナの上下方向への回転運動を確実に規制することができ、さらには、必要なバック角度を容易に設定することができるワイパアームを提供しようとするものである。
【０００５】
【課題を解決するための手段】
上記目的を達成するため、この発明にあっては、請求項１に記載したように、リテーナ支持軸を一端部に有し、他端部にピボットシャフトに結合されるピボットシャフト結合部が形成されたアームヘッドと、上記リテーナ支持軸に回動可能に嵌合係止自在な切欠係止部が形成され、一端部にワイパブレードが装着されるリテーナと、一端部が上記アームヘッドに支持されたアームスプリング係止ピンに係止され、他端部が上記リテーナに係止されてリテーナおよびアームヘッドの間で張力を付与するアームスプリングを備え、上記リテーナの切欠係止部が嵌合係止されるリテーナ支持軸は、外周面に傾斜面部が形成されると共に、上記リテーナの切欠係止部は、横倒略ハ字状に開口するガイド部と、該ガイド部に連設され上記リテーナ支持軸の直径寸法と略同一の直径寸法を有する略Ｃ字状の係合部とで構成され、該ガイド部と係合部の境界部の幅寸法は、上記リテーナ支持軸の傾斜面部と直交する垂線寸法と略同一に形成されているワイパアームにおいて、上記アームスプリング係止ピンが横架されるアームスプリング係止ピン収納部を形成するアームヘッド天板部は、そのリテーナ支持軸側の側面部が、ストッパ傾斜面部と該ストッパ傾斜面部の下端部からリテーナ支持軸側に突設する棚部とで略Ｌ字状に形成され、上記ストッパ傾斜面部は、リテーナがリテーナ支持軸に回動自在に嵌合係止されている状態において、上記リテーナが上方向へ回動すると、上記切欠係止部を構成するガイド部の上片部の先端部と摺接して上記リテーナの上方向への回動を規制すると共に、上記リテーナが下方向へ回動すると、上記ガイド部の下片部の先端部が上記棚部の底辺部と衝合してリテーナの下方向への回動を規制するように構成されていることを特徴とするものである。
【０００６】
また、請求項２に記載のワイパーアームにあっては、上記リテーナのガイド部を構成する下片部の顎部は、該ガイド部の下片部をリテーナ支持軸の傾斜面部に沿って挿入するときに、上記アームヘッドのアームスプリング係止ピン収納部を形成する側壁の前辺部に突き当て可能な形状に形成したことを特徴とするものである。
【０００７】
さらに、請求項３に記載のワイパーアームにあっては、請求項２に記載のワイパーアームを技術的前提とし、上記リテーナ支持軸の傾斜面部には、上記リテーナの切欠係止部をリテーナ支持軸へと挿入するときに、上記切欠係止部の係合部とガイド部と係合部の境界部および下片部とで形成される山形辺部と係合して上記リテーナの回転位置を位置決める略く字状の係合辺部が形成されていることを特徴とするものである。
【０００８】
また、請求項４に記載したように、リテーナ支持軸を一端部に有し、他端部にピボットシャフトに結合されるピボットシャフト結合部が形成されたアームヘッドと、上記リテーナ支持軸に回動可能に嵌合係止自在な切欠係止部が形成され、一端部にワイパブレードが装着されるリテーナと、一端部が上記アームヘッドに支持されたアームスプリング係止ピンに係止され、他端部が上記リテーナに係止されてリテーナおよびアームヘッドの間で張力を付与するアームスプリングを備え、上記リテーナの切欠係止部が嵌合係止されるリテーナ支持軸は、外周面に傾斜面部が形成されると共に、上記リテーナの切欠係止部は、横倒略ハ字状に開口するガイド部と、該ガイド部に連設され上記リテーナ支持軸の直径寸法と略同一の直径寸法を有する略Ｃ字状の係合部とで構成され、該ガイド部と係合部の境界部の幅寸法は、上記リテーナ支持軸の傾斜面部から該リテーナ支持軸の軸芯を通る垂線寸法と略同一に形成されているワイパアームにおいて、上記リテーナ支持軸の傾斜面部には、上記リテーナの切欠係止部をリテーナ支持軸へと挿入するときに、上記切欠係止部の係合部とガイド部と係合部の境界部および下片部とで形成される山形辺部と係合して上記リテーナの回転位置を位置決める略く字状の係合辺部が形成されていることを特徴とするものである。
【０００９】
【発明の実施の形態例】
図１乃至図３は、この発明の実施の第１形態例に係わるワイパアームＷを示しており、該ワイパーアームＷは、リテーナ支持軸３を一端部に有し、他端部にピボットシャフト（図示せず）に結合されるピボットシャフト結合部４が形成されたアームヘッド１と、上記リテーナ支持軸３に回動可能に嵌合係止自在な一対の切欠係止部２１，２１が形成されたリテーナ２０と、一端部が上記アームヘッド１のアームスプリング係止ピン５に係止され、他端部が上記リテーナ２０の係止ピン２２に係止されてリテーナ２０およびアームヘッド１の間で張力を付与するアームスプリング４０を備えて構成されている。
【００１０】
上記アームヘッド１には、アームヘッド天板部７に結合された両側板２８，２８がそれぞれ対向配置されており、該アームヘッド１には、リテーナ２０の上記切欠係止部２１を回動自在に収納可能な収納部２が形成されている。
【００１１】
そして、上記両アームヘッド側板２８，２８の収納部２部分には上記リテーナ支持軸３が横架されており、該リテーナ支持軸３の外周面には傾斜面部８が切り欠き形成されている。
【００１２】
また、上記アームヘッド天板部７の上記リテーナ支持軸３側の側面部にはストッパ傾斜面部９が形成されていると共に、該ストッパ傾斜面部９の下端部からは、リテーナ支持軸３側に向かって棚部１０が突設されている。
【００１３】
さらに、上記アームヘッド天板部７の下方には、上記アームスプリング４０の一端部が係止される丸棒状のアームスプリング係止ピン５が横架されてなるアームスプリング係止ピン収納部１１が形成されており、上記アームヘッド天板部７とで該アームスプリング係止ピン収納部１１を形成する側壁としての中板支持体１２，１２間に上記アームスプリング係止ピン５が架設されており、該アームスプリング係止ピン５に上記アームスプリング４０のアームヘッド側端部４１が係止される。
【００１４】
このようにアームスプリング４０の一端部が、上記アームヘッド１のアームスプリング係止ピン５に係止され、他端部が上記リテーナ２０の係止ピン２２に係止されることで、リテーナ２０とアームヘッド１との間には、互いに引き合う張力が作用するので、両者は撓むことなく略直線状の連結状態を保持され、かつ、リテーナ２０がアームヘッド１のリテーナ支持軸３を回転中心として図３中時計方向および反時計方向に回動可能に連結されている。従って、上記アームスプリング４０の作用によってリテーナ２０の先端部に装着されるワイパブレードは、所定の押圧力でウインドシールドの払拭面（図示せず）に押し付けられる。
【００１５】
尚、上記アームヘッド１には、ピボットシャフト結合部４が形成されている。ピボットシャフト結合部４には、特に図示はしないが、ピボットシャフトが挿入され、該ピボットシャフトにナットがねじ込まれることによって該ワイパーアームＷはピボットシャフトに固定される。そして、このピボットシャフトは、ワイパリンクを介してワイパモータに結合され、ワイパモータが作動することによって、ワイパリンクにより往復回動する。
【００１６】
上記リテーナ２０は、合成樹脂材で断面がコ字形に成形されており、該リテーナ２０の両側板２３の間にアームスプリング４０及び係止ピン２２が収納されている。
【００１７】
このリテーナ２０の各切欠係止部２１，２１は、上片部２５Ａと下片部２５Ｂとで横倒略ハ字状に開口するガイド部２５と、該ガイド部２５に連設され上記リテーナ支持軸３の直径寸法Ｌ１と略同一の直径寸法Ｌ２を有する略Ｃ字状の係合部２６と、から構成されており、該ガイド部２５と係合部２６の境界部２７，２７の幅寸法Ｌ３は、上記リテーナ支持軸３の傾斜面部８から該リテーナ支持軸３の軸芯を通る垂線寸法Ｌ４と略同一に形成されている。
【００１８】
このように構成されてなるリテーナ２０のアームヘッド１側とは反対側端部には、ワイパブレード（図示せず）を装着するためのフック３１が一体に形成されている。
【００１９】
このように構成されてなるワイパーアームＷを組み立てる場合には、図３（Ａ）に示すように、リテーナ２０の各切欠係止部２１，２１に形成されたガイド部２５間にアームヘッド１のリテーナ支持軸３を位置決める。次いで、図３（Ｂ）に示すように、上記ガイド部２５の下片部２５Ｂをリテーナ支持軸３の傾斜面部８に突き当てながらスライドさせ、次いでリテーナ２０を、図３（Ｃ）に示すように、リテーナ支持軸３の外周面に沿って図３時計方向に回動させる。図３（Ｄ）及び（Ｅ）に示すように、リテーナ支持軸３は上記切欠係止部２１の係合部２６内にガイドされ嵌合される。このとき、上記ガイド部２５と係合部２６の境界部２７，２７の幅寸法Ｌ３は、上記リテーナ支持軸３の垂線寸法Ｌ４と略同一に形成されているので、大きな力を作用させることなく、簡単にアームヘッド１とリテーナ２０とを連結させることができる。
【００２０】
この後、上記リテーナ２０を図３時計方向へと回動させると、アームスプリング４０の引張力によって、リテーナ２０の係合部２６の内周壁は、図３（Ｆ）に示すように、リテーナ支持軸３の外周面に押し付けられるので、アームヘッド１とリテーナ２０の連結状態は強固に保持される。
【００２１】
また、この形態例に係るワイパーアームＷにあっては、リテーナ２０がリテーナ支持軸３に回動自在に嵌合係止されている状態において、さらにリテーナ２０が時計方向に回動されると、図３（Ｇ）に示すように、上記アームスプリング係止ピン収納部１１を形成するアームヘッド天板部７に形成されたストッパ傾斜面部９に、上記切欠係止部２１を構成するガイド部２５の上片部２５Ａの先端部が摺接するので、この位置でリテーナ２０の上方向（図３時計方向）への回動が規制される。
【００２２】
尚、上記ストッパ傾斜面部９の傾斜角度と上記上片部２５Ａとの摺接角度を相対的に変更することで、任意のバック角度を容易に設定することができる。
【００２３】
さらに、この形態例に係るワイパーアームＷにあっては、リテーナ２０が反時計方向に回動すると、図３（Ｅ）に示すように、上記棚部１０の底辺部に、上記ガイド部２５の下片部２５Ｂの先端部が衝合するので、リテーナ２０の下方向（図３反時計方向）への回動も規制される。
【００２４】
図４は、この発明の実施の第２形態例に係るワイパーアームＷを示しており、この形態例に係るワイパーアームＷでは、第１形態例と異なる点は、リテーナ２０のガイド部２５を構成する下片部２５Ｂに顎部２５Ｃを形成し、該下片部２５Ｂをリテーナ支持軸３に形成された傾斜面部８に突き当てた状態で挿入するときに、前記アームヘッド１のアームスプリング係止ピン５を支持する側壁としての中板支持体１２，１２の前辺部１２Ａ，１２Ａにこの顎部２５Ｃを突き当て可能な形状としたもので、他の構成作用は第１形態例と同様であるので、図面には第１形態例で用いた符号と同一の符号を付して、その詳細な説明をここでは省略する。
【００２５】
この形態例に係るワイパーアームＷにあっては、アームヘッド１とリテーナ２０とを組み立てる場合、上記リテーナ支持軸３に形成された傾斜面部８に上記下片部２５Ｂを突き当てたときに、リテーナ２０のガイド部２５を構成する下片部２５Ｂの顎部２５Ｃが、アームヘッド１の中板支持体１２，１２の前辺部１２Ａ，１２Ａに突き当てられるので、より小さな力でリテーナ２０を図４時計方向に回動させることができ、ワイパーアームＷの手組み作業をより簡略化することができる。
【００２６】
図５は、この発明の実施の第３形態例に係るワイパーアームＷを示しており、この形態例に係るワイパーアームＷでは、上記リテーナ支持軸３の傾斜面部８に、上記各切欠係止部２１の係合部２６とガイド部２５と係合部２６の境界部２７，２７のうちの一方の境界部２７および下片部２５Ｂとで形成される山形辺部２７Ａと係合する略く字状の係合辺部８Ａを形成し、上記リテーナ２０の各切欠係止部２１をリテーナ支持軸３へと挿入するときに、該係合辺部８Ａに上記山形辺部２７Ａとを嵌合係止させることで、上記リテーナ２０の回転位置を容易に位置決めることができ、その結果、ワイパーアームＷの手組み作業時における上記リテーナ２０の回動操作をより簡便に行なうことができる。尚、本形態例における他の構成・作用は第２形態例と同様であるので、図面には第２形態例で用いた符号と同一の符号を付して、その詳細な説明をここでは省略する。
【００２７】
【発明の効果】
この発明に係るワイパアームは、以上説明したように構成されているので、専用の組立設備を必要とせずにリテーナをアームヘッドにがたつきなく短時間で簡単に手組みすることができると共に、部品点数を増加させることなく簡易な構成でリテーナの上下方向への回転運動を確実に規制することができ、さらには、必要なバック角度を容易に設定することができるという優れた効果を奏する。
【図面の簡単な説明】
【図１】  この発明の実施の第１形態例に係わるワイパアームの側面図である。
【図２】  同ワイパーアームの平面図である。
【図３】  （Ａ）乃至（Ｇ）は、同ワイパアームのアームヘッドとリテーナとの連結手順を示す断面説明図である。
【図４】  （Ａ）乃至（Ｇ）は、この発明の実施の第２形態例に係わるワイパアームのアームヘッドとリテーナとの連結手順を示す断面説明図である。
【図５】  この発明の実施の第３形態例に係わるワイパアームのアームヘッドとリテーナとの連結部分の構成を示す断面説明図である。
【符号の説明】
Ｗ  ワイパアーム
１  アームヘッド
２  収納部
３  リテーナ支持軸
４  ピボットシャフト結合部
５  アームスプリング係止ピン
７  アームヘッド天板部
８  傾斜面部
９  ストッパ傾斜面部
１０  棚部
１１  アームスプリング係止ピン収納部
１２  中板支持体（側壁）
２０  リテーナ
２１  切欠係止部
２２  係止ピン
２４  中板片
２５  ガイド部
２５Ａ  上片部
２５Ｂ  下片部
２５Ｃ  顎部
２６  係合部
２７  境界部
２７Ａ  山形辺部
４０  アームスプリング
Ｌ１  リテーナ支持軸の直径寸法
Ｌ２  係合部の直径寸法
Ｌ３  境界部の幅寸法
Ｌ４  傾斜面部からリテーナ支持軸の軸芯を通る垂線寸法
【図１】
0003998054.tif 000002
【図２】
0003998054.tif 000003
【図３】
0003998054.tif 000004
【図４】
0003998054.tif 000005
【図５】
0003998054.tif 000006